【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
ホログラフィックデータ記憶方法であって、当該方法が、
（Ａ）光化学的活性染料及び光酸発生剤を含む光学的透明基板を用意する段階と、
（Ｂ）基板の体積素子内で光化学的活性染料の少なくとも一部を光生成物に転化させるのに共に十分な第１の波長及び強度を有するホログラフィック干渉パターンで光学的透明基板を照射し、照射された体積素子内にホログラフィック干渉パターンに対応した光生成物の濃度変化を生み出し、それによって体積素子に対応した光学的に読取り可能なデータを生成させる段階と、
（Ｃ）光酸発生剤を活性化して光学的に読取り可能なデータを安定化するのに十分な第２の波長及び強度で光学的透明基板を照射する段階と
を含んでおり、上記光化学的活性染料が下記の構造式（Ｉ）を有する光化学的活性ニトロンである、方法。
【化１】
2009518690.tif 000001
（式中、Ｒ1はニトロン基と共役し得る脂肪族基、脂環式基又は芳香族基であり、Ｒ2は水素或いはニトロン基と共役し得る脂肪族基、脂環式基又は芳香族基であり、Ｒ3は脂肪族基、脂環式基又は芳香族基である。）
【請求項２】
Ｒ2及びＲ3が一緒になって環構造の一部をなす、請求項１記載の方法。
【請求項３】
Ｒ1が下記の構造式（ＩＩ）を有する、請求項１記載の方法。
【化２】
2009518690.tif 000002
（式中、Ｒ4、Ｒ5及びＲ6は各々独立に水素原子、脂肪族基、脂環式基又は芳香族基であり、「ｎ」は１〜４の値を有する整数である。）
【請求項４】
光化学的活性ニトロンが下記の構造式（ＩＩＩ）を有するニトロンである、請求項３記載の方法。
【化３】
2009518690.tif 000003
（式中、Ａｒ1は芳香族基であり、Ｒ5、Ｒ6及びＲ7は各々独立に水素原子、脂肪族基、脂環式基又は芳香族基であり、Ｒ3は脂肪族基、脂環式基又は芳香族基であり、「ｐ」は０〜４の値を有する整数である。）
【請求項５】
光化学的活性ニトロンが、α−スチレニルイソプロピルニトロン（ＳＩＰＮ）、α−（４−ジエチルアミノフェニル）−Ｎ−フェニルニトロン、α−（４−ジエチルアミノフェニル）−Ｎ−（４−クロロフェニル）ニトロン、α−（４−ジエチルアミノフェニル）−Ｎ−（３，４−ジクロロフェニル）ニトロン、α−（４−ジエチルアミノフェニル）−Ｎ−（４−カルベトキシフェニル）ニトロン、α−（４−ジエチルアミノフェニル）−Ｎ−（４−アセチルフェニル）ニトロン、α−（４−ジエチルアミノフェニル）−Ｎ−（４−シアノフェニル）ニトロン、α−（４−メトキシフェニル）−Ｎ−（４−シアノフェニル）ニトロン、α−（９−ユロリジニル）−Ｎ−フェニルニトロン、α−（９−ユロリジニル）−Ｎ−（４−クロロフェニル）ニトロン、α−（４−ジメチルアミノ）スチレニル−Ｎ−フェニルニトロン、α−スチレニル−Ｎ−フェニルニトロン、α−［２−（１，１−ジフェニルエテニル）］−Ｎ−フェニルニトロン、α−［２−（１−フェニルプロペニル）］−Ｎ−フェニルニトロン及びこれらの組合せからなる群から選択される芳香族ニトロンである、請求項１記載の方法。
【請求項６】
光生成物がオキサジリジンである、請求項１乃至請求項５のいずれか１項記載の方法。
【請求項７】
光生成物が芳香族オキサジリジンである、請求項１乃至請求項５のいずれか１項記載の方法。
【請求項８】
芳香族オキサジリジンが下記の構造式（Ｖ）を有する、請求項７記載の方法。
【化４】
2009518690.tif 000004
（式中、Ａｒ1は芳香族基であり、Ｒ5、Ｒ6及びＲ7は各々独立に水素原子、脂肪族基、脂環式基又は芳香族基であり、Ｒ3は脂肪族基、芳香族基又は脂環式基であり、「ｐ」は０〜４の値を有する整数である。）
【請求項９】
光酸発生剤を活性化するのに十分な第２の波長及び強度で光学的透明基板を照射する段階が光安定なプロトン付加ニトロンを与える、請求項１乃至請求項７のいずれか１項記載の方法。
【請求項１０】
光酸発生剤を活性化するのに十分な第２の波長及び強度で光学的透明基板を照射する段階が光安定なアミドを与える、請求項１乃至請求項７のいずれか１項記載の方法。
【請求項１１】
光安定なアミドが、下記の構造式（ＶＩＩ）及び（ＶＩＩＩ）を有する芳香族アミド並びにこれらの組合せからなる群から選択される、請求項１０記載の方法。
【化５】
2009518690.tif 000005
（式中、Ａｒ1は芳香族基であり、Ｒ5、Ｒ6及びＲ7は各々独立に水素原子、脂肪族基、脂環式基又は芳香族基であり、Ｒ3は脂肪族基、芳香族基又は脂環式基であり、「ｐ」は０〜４の値を有する整数である。）
【請求項１２】
光安定なアミドが下記の構造式（ＩＸ）を有するホルムアミドである、請求項１１記載の方法。
【化６】
2009518690.tif 000006
（式中、Ａｒ1は芳香族基であり、Ｒ5及びＲ6は各々独立に水素原子、脂肪族基、脂環式基又は芳香族基であり、Ｒ3は脂肪族基、芳香族基又は脂環式基であり、「ｐ」は０〜４の値を有する整数である。）
【請求項１３】
光酸発生剤がオニウム塩からなる、請求項１乃至請求項１２のいずれか１項記載の方法。
【請求項１４】
オニウム塩が、ヨードニウム塩、スルホニウム塩、セレノニウム塩、ホスホニウム塩、Ｎ−アルコキシピリジニウム塩及びこれらの組合せからなる群から選択される、請求項１３記載の方法。
【請求項１５】
光酸発生剤が、ジアリールヨードニウムテトラフルオロボレート、ジアリールヨードニウムヘキサフルオロホスフェート、ジアリールヨードニウムヘキサフルオロアンチモネート、ジアリールトリフルオロメタンスルホネート及びこれらの組合せからなる群から選択される、請求項１乃至請求項１４のいずれか１項記載の方法。
【請求項１６】
光学的透明基板がさらに１種以上の光増感剤を含む、請求項１乃至請求項１５のいずれか１項記載の方法。
【請求項１７】
光増感剤が、重合フェノチアジン、Ｎ−ビニルカルバゾールのホモポリマー、Ｎ−ビニルカルバゾールのコポリマー、フェノチアジン化合物、アントラセン化合物、ナフタセン化合物、ポルフィリン化合物、フタロシアニン化合物、ナフタロシアニン化合物、カルコゲナピリリウムニトロン化合物、メロシアニンニトロン化合物、準芳香族複素環式化合物、ナイルブルーニトロン化合物、金属−ビピリジン錯体及びこれらの組合せからなる群から選択される、請求項１６記載の方法。
【請求項１８】
前記第１の波長が３７５〜４５０ｎｍである、請求項１乃至請求項１７のいずれか１項記載の方法。
【請求項１９】
前記第１の波長が４５０〜５５０ｎｍである、請求項１乃至請求項１７のいずれか１項記載の方法。
【請求項２０】
前記第２の波長が第１の波長より長く、第２の波長が４５０〜１５００ｎｍである、請求項１８記載の方法。
【請求項２１】
前記第２の波長が第１の波長より長く、第２の波長が５５０〜１５００ｎｍである、請求項１９記載の方法。
【請求項２２】
ホログラフィックデータ記憶方法であって、当該方法が、
（Ａ）光化学的活性ニトロン、光酸発生剤及び光増感剤を含む光学的透明基板を用意する段階と、
（Ｂ）基板の体積素子内で光化学的活性ニトロンの少なくとも一部を光化学的活性ニトロンの光生成物に転化させるのに共に十分な第１の波長及び強度を有するホログラフィック干渉パターンで光学的透明基板を照射し、照射された体積素子内にホログラフィック干渉パターンに対応した光生成物の濃度変化を生み出し、それによって体積素子に対応した第１の光学的に読取り可能なデータを生成させる段階と、
（Ｃ）光酸発生剤を活性化して光学的に読取り可能なデータを安定化するのに十分な第２の波長及び強度で改質された光学的透明基板を照射する段階と
を含んでおり、上記光化学的活性染料が下記の構造式（Ｉ）を有する光化学的活性ニトロンである、方法。
【化７】
2009518690.tif 000007
（式中、Ｒ1はニトロン基と共役し得る脂肪族基、脂環式基又は芳香族基であり、Ｒ2は水素或いはニトロン基と共役し得る脂肪族基、脂環式基又は芳香族基であり、Ｒ3は脂肪族基、脂環式基又は芳香族基である。）
【請求項２３】
光学的書込み／読取り方法であって、当該方法が、
（Ａ）光化学的活性染料及び光酸発生剤を含む光学的透明基板を、基板の体積素子内で光化学的活性染料の少なくとも一部を光生成物に転化させるのに共に十分な第１の波長及び強度を有するホログラフィック干渉パターンで照射し、照射された体積素子内にホログラフィック干渉パターンに対応した光生成物の濃度変化を生み出し、それによって体積素子に対応した第１の光学的に読取り可能なデータを生成させる段階であって、ホログラフィック干渉パターンはデータに対応した信号ビーム及びデータに対応しない参照ビームで光学的透明基板を同時に照射することで生み出される段階と、
（Ｂ）光酸発生剤を活性化して光学的に読取り可能なデータを安定化するのに十分な第２の波長及び強度で光学的透明基板を照射する段階と、
（Ｃ）光学的透明基板を読取りビームで照射し、回折光を検出することで光学的に読取り可能なデータを読み取る段階と
を含んでおり、上記光化学的活性染料が下記の構造式（Ｉ）を有する光化学的活性ニトロンである、方法。
【化８】
2009518690.tif 000008
（式中、Ｒ1はニトロン基と共役し得る脂肪族基、脂環式基又は芳香族基であり、Ｒ2は水素或いはニトロン基と共役し得る脂肪族基、脂環式基又は芳香族基であり、Ｒ3は脂肪族基、脂環式基又は芳香族基である。）
【請求項２４】
読取りビームが信号ビームの波長から１〜４００ｎｍだけシフトした波長を有する、請求項２３記載の方法。
【請求項２５】
第１の波長、第２の波長及び読取りビームのすべてが相異なる波長を有する、請求項２３記載の方法。
【請求項２６】
光学的透明基板がさらに１種以上の光増感剤を含む、請求項２３記載の方法。